(57)【要約】【課題】地上デジタル放送を受信するテレビ受信機用の室内アンテナなどとして用いられるスロットアンテナとして、アンテナとしての周波数特性をほとんど変えることなく、しかも受信機の画面の向きとは別個独立に、かつアンテナ装置全体の形状や容積を大きく変えることなく、アンテナの指向性を変えることができるようにする。【解決手段】放射器１０は、スロット１２が形成された湾曲板１１、その両側のフリップ１３および１４、およびフリップ１３および１４に対してスロット１２の面に垂直な前後方向にスライド可能なスライド板１５および１６によって構成する。操作機構２０として、スライド板１５および１６を、フリップ１３および１４に対して、互いに逆方向に同じ幅の分、スライドさせる機構を設ける。【選択図】図１
2006222715.tif 000002
【特許請求の範囲】
【請求項１】
スロットが形成された中央板部、および、この中央板部の両側に延長して設けられた第１および第２の側板部からなる放射器と、
この放射器の全体の面積を変えない状態で、前記第１および第２の側板部を伸縮させる操作機構と、
を備えるアンテナ装置。
【請求項２】
請求項１のアンテナ装置において、
前記第１および第２の側板部は、それぞれ、前記中央板部側の固定板部と、この固定板部に対してスライド可能なスライド板とからなるものであり、
前記操作機構は、一方の側板部については、前記スライド板を前記スロットに近づける方向にスライドさせ、他方の側板部については、前記スライド板を前記スロットから遠ざける方向にスライドさせるものである、
ことを特徴とするアンテナ装置。
【請求項３】
請求項２のアンテナ装置において、
前記操作機構は、
それぞれ前記第１および第２の側板部の前記スライド板に取り付けられた第１および第２のブームガイドと、
この第１および第２のブームガイドに差し渡されたブームと、
このブームと一体に形成され、またはブームに取り付けられた操作軸と、
この操作軸を回転させる操作手段と、
を備えることを特徴とするアンテナ装置。
【請求項４】
請求項１〜３のいずれかのアンテナ装置を備え、その前記放射器が受信機筐体内に収納され、前記操作機構中の操作手段が受信機筐体の外部に臨んで設けられた受信機。
【発明の詳細な説明】
【技術分野】
【０００１】
この発明は、地上デジタル放送を受信するテレビ受信機用の室内アンテナなどとして用いられるアンテナ装置、およびアンテナ装置を内蔵した受信機に関する。
【背景技術】
【０００２】
携帯端末や壁などに内蔵できるスロットアンテナとして、特許文献１（特開２００３−２８３２３２号公報）には、平板状、湾曲状または円筒状の導体板に切り込みを入れてスロットを形成することによって、スロットの中心軸線を境に２つの放射導体を形成し、その対向する２つの導体縁で給電する板状アンテナが示されている。
【０００３】
さらに、特許文献２（特開２００３−３３２８３４号公報）には、正面板部と左右の側板部とからなる、断面がコ字状またはＵ字状の導体板の、平板状または円弧状の正面板部に垂直方向にスリットを形成して、水平偏波用ノッチアンテナを形成し、同じ導体板の正面板部と左右の側板部とにまたがって水平方向にスロットを形成して、垂直偏波用スロットアンテナを形成することが示されている。
【０００４】
上に挙げた先行技術文献は、以下の通りである。
【特許文献１】特開２００３−２８３２３２号公報
【特許文献２】特開２００３−３３２８３４号公報
【発明の開示】
【発明が解決しようとする課題】
【０００５】
しかしながら、従来のスロットアンテナは、例えば、地上デジタル放送を受信するテレビ受信機用の室内アンテナとして用いて、その指向性を変えるには、放射器自体の向き、すなわちスロットの向きを変える必要がある。
【０００６】
そのため、アンテナ装置を部屋の壁面に取り付ける場合など、放射器自体の向きを変えることができない場合には、アンテナの指向性を変えることができない。また、アンテナ装置を受信機筐体内に収納する場合、アンテナの指向性を変えるには、受信機自体の向きを変えなければならず、そのため画面の向きも変わってしまい、視聴者（ユーザ）にとって、画面が見づらい、または画面が見やすくなるように自身が移動しなければならない、という不便さがある。
【０００７】
そこで、この発明は、地上デジタル放送を受信するテレビ受信機用の室内アンテナなどとして用いられるスロットアンテナとして、アンテナとしての周波数特性をほとんど変えることなく、しかも受信機の画面の向きとは別個独立に、かつアンテナ装置全体の形状や容積を大きく変えることなく、アンテナの指向性を変えることができるようにしたものである。
【課題を解決するための手段】
【０００８】
この発明のアンテナ装置は、
スロットが形成された中央板部、および、この中央板部の両側に延長して設けられた第１および第２の側板部からなる放射器と、
この放射器の全体の面積を変えない状態で、前記第１および第２の側板部を伸縮させる操作機構と、
を備えるものである。
【０００９】
上記の構成の、この発明のアンテナ装置では、中央板部と第１および第２の側板部とからなる放射器の全体の面積を変えることなく、したがってアンテナとしての周波数特性をほとんど変えることなく、放射器のスロットの片側（左側）の部分の幅（面積）と反対側（右側）の部分の幅（面積）との比を変えることができ、アンテナの指向性を変えることができる。
【００１０】
また、テレビ受信機用の室内アンテナとして用いる場合、アンテナ装置を受信機筐体内に収納する場合でも、受信機の外部に設置する場合でも、画面の向きとは別個独立にアンテナの指向性を変えることができ、画面の向きを見やすい方向に自由に設定することができる。
【００１１】
さらに、アンテナの指向性を変えても、アンテナ装置全体の形状や容積は大きく変化しないので、薄型テレビ受信機を部屋の壁面などに固定して取り付け、受信機の画面の向きを固定する場合でも、アンテナ装置を受信機筐体内に収納した状態で、受信機筐体の外形を変えることなく、アンテナの指向性を変えることができる。
【発明の効果】
【００１２】
以上のように、この発明によれば、地上デジタル放送を受信するテレビ受信機用の室内アンテナなどとして用いられるスロットアンテナとして、アンテナとしての周波数特性をほとんど変えることなく、しかも受信機の画面の向きとは別個独立に、かつアンテナ装置全体の形状や容積を大きく変えることなく、アンテナの指向性を変えることができる。
【発明を実施するための最良の形態】
【００１３】
［１．アンテナ装置の一例：図１〜図６］
図１は、この発明のアンテナ装置の一例を示す。
【００１４】
この発明のアンテナ装置は、スロットアンテナとしての放射器１０と操作機構２０とから構成される。
【００１５】
放射器１０は、この例では、湾曲板１１、フリップ（側板）１３および１４、およびスライド板１５および１６によって構成される。
【００１６】
湾曲板１１は、半円筒状の、銅箔シートや、絶縁板上に貼り付けられた銅箔などからなる導体で、その湾曲方向（円周方向）の中央部には、垂直方向に延長するスロット（放射口）１２が形成される。
【００１７】
フリップ１３および１４は、それぞれ、平板状の、銅箔シートや、絶縁板上に貼り付けられた銅箔などからなる導体とされ、フリップ１３は湾曲板１１の左側の側縁において、フリップ１４は湾曲板１１の右側の側縁において、それぞれ湾曲板１１と一体に形成される。
【００１８】
実際上、湾曲板１１およびフリップ１３，１４は、一枚の導体板として形成され、形成後、中央の部分が半円筒状に湾曲されて湾曲板１１とされ、左右の部分が互いに平行な状態で対向するフリップ１３および１４とされる。
【００１９】
スライド板１５および１６は、フリップ１３および１４と同様に、それぞれ、平板状の、銅箔シートや、絶縁板上に貼り付けられた銅箔などからなる導体とされるが、それぞれ、フリップ１３，１４および湾曲板１１とは別体に形成され、フリップ１３および１４と接触する状態でフリップ１３および１４に対して、スロット１２の面に垂直な前後方向にスライド可能なように配置される。
【００２０】
以上の湾曲板１１、フリップ１３および１４、およびスライド板１５および１６からなる放射器１０は、湾曲板１１のスロット１２を介して対向する左右の側縁の点１７および１８が給電点とされ、例えば、同軸線路をアンテナ給電線路とする場合には、同軸線路の一端部における内導体（または外導体）が給電点１７に接続され、外導体（または内導体）が給電点１８に接続される。
【００２１】
操作機構２０は、スライド板１５および１６を、フリップ１３および１４に対して、互いに逆方向に同じ幅の分、スライドさせるもので、この例では、ブームガイド２１および２２、ブーム（アーム）２３、操作軸２４、およびハンドル２５によって構成される。
【００２２】
ブームガイド２１および２２は、それぞれ、絶縁板によって形成され、接着やネジ止めなどによってスライド板１５および１６に取り付けられる。ブームガイド２１および２２には、それぞれ穴２１ｅおよび２２ｅが形成される。
【００２３】
ブーム２３は、その左端部および右端部がブームガイド２１および２２の穴２１ｅおよび２２ｅに挿入されることによって、ブームガイド２１および２２に差し渡される。図では省略したが、ブームガイド２１および２２の外側において、ブーム２３の左端および右端には、ブーム２３の脱落を防止する止め具が取り付けられる。
【００２４】
操作軸２４は、ブーム２３の中央部において、ブーム２３と一体に形成され、またはブーム２３に取り付けられる。
【００２５】
ハンドル２５は、操作手段として、操作軸２４およびブーム２３を回転させるもので、操作軸２４と一体に形成され、または操作軸２４に取り付けられる。
【００２６】
湾曲板１１、フリップ１３および１４、およびスライド板１５および１６の高さ（長さ）は、図１において“Ｈ”で示すように、すべて同じにする。フリップ１３および１４の幅も、互いに同じにし、スライド板１５および１６の幅も、互いに同じにする。
【００２７】
図１および図３（Ｃ）は、フリップ１３とスライド板１５を合わせた分の幅（フリップ１３の幅とスライド板１５の幅との和から、両者の重なり合う部分の幅を差し引いた幅）Ｌａと、フリップ１４とスライド板１６を合わせた分の幅（フリップ１４の幅とスライド板１６の幅との和から、両者の重なり合う部分の幅を差し引いた幅）Ｌｂとが、等しい場合、すなわち、放射器１０のスロット１２の左側の部分の面積と、スロット１２の右側の部分の面積とが、等しい場合で、このとき、アンテナの指向性は、矢印１ｃで示すように、スロット１２の正面方向となる。
【００２８】
湾曲板１１の半径をｒ、湾曲板１１の幅（周長）をＬｃ（＝π×ｒ）とすると、放射器１０全体の面積Ｓは、
Ｓ＝（Ｌｃ＋Ｌａ＋Ｌｂ）Ｈ  …（１）
で表される。
【００２９】
図１の例のアンテナ装置では、この状態から、ハンドル２５を時計回り方向または反時計回り方向に回すと、それに連動してブーム２３が動いて、ブームガイド２１および２２が互いに逆方向に押され、スライド板１５および１６が互いに逆方向に同じ幅の分、スライドして、フリップ１３とスライド板１５を合わせた分の幅Ｌａ、およびフリップ１４とスライド板１６を合わせた分の幅Ｌｂを、両者の和（Ｌａ＋Ｌｂ）を一定に保った状態で、変化させることができ、すなわち、放射器１０のスロット１２の左側の部分の面積、およびスロット１２の右側の部分の面積を、両者の和である放射器１０全体の面積Ｓを一定に保った状態で、変化させることができ、アンテナの指向性を変えることができる。
【００３０】
すなわち、図１および図３（Ｃ）の状態から、ハンドル２５を時計回り方向に、ある角度回すと、図２（Ａ）および図３（Ａ）に示すように、スライド板１５がスロット１２から離れる方向に、ある幅分、スライドし、スライド板１６がスロット１２に近づく方向に、同じ幅分、スライドして、Ｌａ＞Ｌｂとなり、放射器１０のスロット１２の左側の部分の面積が、スロット１２の右側の部分の面積より大きくなって、アンテナの指向性は、矢印１ａで示すように、スロット１２の正面方向よりフリップ１３側の方向となる。ただし、このとき、和の幅（Ｌａ＋Ｌｂ）は変化せず、放射器１０全体の面積Ｓは変化しないので、アンテナとしての周波数特性は、ほとんど変化しない。
【００３１】
逆に、図１および図３（Ｃ）の状態から、ハンドル２５を反時計回り方向に、ある角度回すと、図２（Ｂ）および図３（Ｂ）に示すように、スライド板１５がスロット１２に近づく方向に、ある幅分、スライドし、スライド板１６がスロット１２から離れる方向に、同じ幅分、スライドして、Ｌａ＜Ｌｂとなり、放射器１０のスロット１２の右側の部分の面積が、スロット１２の左側の部分の面積より大きくなって、アンテナの指向性は、矢印１ｂで示すように、スロット１２の正面方向よりフリップ１４側の方向となる。ただし、このとき、和の幅（Ｌａ＋Ｌｂ）は変化せず、放射器１０全体の面積Ｓは変化しないので、アンテナとしての周波数特性は、ほとんど変化しない。
【００３２】
スライド板１５および１６は、それぞれ、最もスロット１２から離れるときでも、フリップ１３および１４との間に隙間を生じないようにし、最もスロット１２に近づくときには、例えば、全体がフリップ１３および１４と重なり合うようにする。
【００３３】
このようにスライド板１５および１６のスライド範囲を規制し、かつスライド板１５および１６のスライドを円滑に行うために、図４に示すようなスライドガイドを設けることが望ましい。
【００３４】
具体的に、図４の例では、スライド板１５の下部位置に、溝３５が形成されたスライドガイド３１が設けられ、スライド板１６の下部位置に、溝３６が形成されたスライドガイド３２が設けられ、スライド板１５の下部が溝３５に嵌合されて、スライド板１５が溝３５に沿ってスライドし、スライド板１６の下部が溝３６に嵌合されて、スライド板１６が溝３６に沿ってスライドするように、構成される。スライド板１５および１６の上部位置にも、同様のスライドガイドが設けられる。
【００３５】
放射器１０の具体的な寸法としては、反射のピークの波長をλとして、例えば、スロット１２の幅を１０〜１５ｍｍ、上記の高さ（長さ）Ｈを４５０ｍｍ、上記の半径ｒを約０．１λ〜０．２λ、上記の和の幅（Ｌａ＋Ｌｂ）を０．１λ〜０．４λとする。
【００３６】
この場合、アンテナの指向特性は、図５に示すようになり、周波数に対する反射（ｒｅｔｕｒｎ）、損失（ｌｏｓｓ）および電圧定在波比（ＶＳＷＲ）の特性は、それぞれ図６の曲線７Ｒ，７Ｌおよび７Ｖに示すようになる。
【００３７】
［２．アンテナ装置を内蔵した受信機の一例：図７］
上述したアンテナ装置は、映像ディスプレイとして液晶ディスプレイなどのＦＤＰ（Ｆｌａｔ  Ｄｉｓｐｌａｙ  Ｐａｎｅｌ）を用いた薄型の、地上デジタル放送などを受信するテレビ受信機に内蔵することができる。
【００３８】
図７（同図（Ａ）は上面図、同図（Ｂ）は正面図）に、その一例を示す。この例では、テレビ受信機５０は、全体として、受信機筐体５１にスタンド５２が取り付けられた構成とされる。
【００３９】
受信機筐体５１内には、表示画面５３が正面に向くように、液晶ディスプレイが設けられ、表示画面５３の両側に、左右のスピーカ５４および５５が設けられるとともに、例えば、表示画面５３の右側に、上記の放射器１０を備えるアンテナ装置が収納される。
【００４０】
ただし、この例では、操作軸２４に、上記のハンドル２５の代わりに操作つまみ（操作ダイヤル）２６が設けられるとともに、アンテナ装置としては、その操作つまみ２６のみが、受信機筐体５１の外部に、例えば、受信機筐体５１の上面の上側に、臨むようにされる。さらに、その操作つまみ２６には、アンテナの指向性を示す矢印（標識）２７が印される。
【００４１】
したがって、テレビ受信機５０自体の向き、すなわち画面の向きとは別個独立に、操作つまみ２６を回してアンテナの指向性を変えることができる。
【００４２】
図７の例は、テレビ受信機５０をスタンド型に構成する場合であるが、薄型テレビ受信機を部屋の壁面などに固定して取り付ける場合にも、同様に、アンテナ装置をテレビ受信機に内蔵することができ、画面の向きとは別個独立にアンテナの指向性を変えることができる。
【００４３】
［３．アンテナ装置の他の例：図８］
図１〜図４に示した例は、フリップ１３および１４、およびスライド板１５および１６を、それぞれ平板状とする場合であるが、図８に示すように、湾曲板１１を、半円筒状ではなく、それより小さい角度範囲の円弧状のものとし、フリップ１３および１４、およびスライド板１５および１６も、それぞれ同じ円３上に配置される円弧状のものとしてもよい。この場合には、操作軸２４は、円３の中心に位置させることができる。
【００４４】
さらに、上述した例は、左右の側板部を、それぞれフリップ１３，１４とスライド板１５，１６とからなるものとする場合であるが、左右の側板部を、それぞれ蛇腹構造（断面が波形の構造）の伸縮可能な金網状のものとし、操作機構によって、一方の側板部の幅を伸長させ、他方の側板部の幅を縮小させる構成とすることもできる。
【図面の簡単な説明】
【００４５】
【図１】この発明のアンテナ装置の一例を示す図である。
【図２】図１のアンテナ装置で指向性を変えた状態を示す図である。
【図３】図１のアンテナ装置における指向性を変えた３つの状態を示す図である。
【図４】スライド板のスライドのためのガイドの一例を示す図である。
【図５】図１のアンテナ装置の指向特性の一例を示す図である。
【図６】図１のアンテナ装置の周波数に対する反射、損失および電圧定在波比の特性の一例を示す図である。
【図７】アンテナ装置を内蔵したテレビ受信機の一例を示す図である。
【図８】この発明のアンテナ装置の他の例を示す図である。
【符号の説明】
【００４６】
主要部については図中に全て記述したので、ここでは省略する。
【図１】
2006222715.tif 000003
【図２】
2006222715.tif 000004
【図３】
2006222715.tif 000005
【図４】
2006222715.tif 000006
【図５】
2006222715.tif 000007
【図６】
2006222715.tif 000008
【図７】
2006222715.tif 000009
【図８】
2006222715.tif 000010